(57)【要約】【課題】衛星通信にＬＴＥ方式が適用された場合であっても、遅延発生を回避して高い伝送速度を実現する。【解決手段】本発明に係る無線基地局ｅＮＢは、移動局ＵＥに対して、下りリンク信号に対するスケジューリング信号及び下りリンク信号を送信するように構成されている送信部１１を具備しており、送信部１１は、かかる下りリンク信号に対する送達確認情報の受信を待つことなく、所定数のサブフレームにおいて、移動局ＵＥに対して、かかる下りリンク信号と同一の下りリンク信号を送信するように構成されている。【選択図】図３
2015032880.tif 000002
【特許請求の範囲】
【請求項１】
ＬＴＥ方式が適用されている衛星通信で用いられる衛星に設けられている無線基地局であって、
移動局に対して、下りリンク信号に対するスケジューリング信号及び該下りリンク信号を送信するように構成されている送信部を具備しており、
前記送信部は、前記下りリンク信号に対する送達確認情報の受信を待つことなく、所定数のサブフレームにおいて、前記移動局に対して、該下りリンク信号と同一の下りリンク信号を送信するように構成されていることを特徴とする無線基地局。
【請求項２】
前記送信部は、前記移動局に対して、前記同一の下りリンク信号を送信するサブフレームのパターンを通知するように構成されていることを特徴とする請求項１に記載の無線基地局。
【請求項３】
前記送信部は、前記同一の下りリンク信号の各々に対する前記スケジューリング信号を送信するように構成されていることを特徴とする請求項１又は２に記載の無線基地局。
【請求項４】
前記送信部は、前記所定数のサブフレームのうちの一部のサブフレームにおいてのみ前記スケジューリング信号を送信するように構成されていることを特徴とする請求項１又は２に記載の無線基地局。
【請求項５】
前記送信部は、前記移動局との間の無線品質に応じて、前記所定数を変更するように構成されていることを特徴とする請求項１乃至４のいずれか一項に記載の無線基地局。
【請求項６】
前記送信部は、前記移動局からの前記送達確認情報の受信確率に応じて、前記所定数を変更するように構成されていることを特徴とする請求項１乃至４のいずれか一項に記載の無線基地局。
【請求項７】
前記送信部は、セル内ハンドオーバ手順、ランダムアクセス手順及び再接続手順の少なくとも１つが行われた際に、前記所定数を所定初期値に変更するように構成されていることを特徴とする請求項５又は６に記載の無線基地局。
【請求項８】
ＬＴＥ方式が適用されている衛星通信で用いられる衛星に設けられている無線基地局との間で通信可能な移動局であって、
前記無線基地局から、下りリンク信号に対するスケジューリング信号及び該下りリンクを受信するように構成されている受信部を具備しており、
前記受信部は、所定のスケジューリング信号を受信した場合には、所定数のサブフレームにおいて、前記下りリンク信号の受信を試みるように構成されていることを特徴とする移動局。
【請求項９】
前記受信部は、前記無線基地局から、前記所定数のサブフレームのパターンを通知する情報を取得するように構成されていることを特徴とする請求項８に記載の移動局。
【請求項１０】
ＬＴＥ方式が適用されている衛星通信で用いられる衛星に設けられている無線基地局との間で通信可能な移動局であって、
前記無線基地局から、上りリンク信号に対する所定のスケジューリング信号を受信するように構成されている受信部と、
前記無線基地局に対して、前記所定のスケジューリング信号に応じて、前記上りリンク信号を送信するように構成されている送信部とを具備しており、
前記送信部は、前記上りリンク信号に対する送達確認情報の受信を待つことなく、所定数のサブフレームにおいて、前記無線基地局に対して、該上りリンク信号と同一の上りリンク信号を送信するように構成されていることを特徴とする移動局。
【請求項１１】
前記受信部は、前記無線基地局から、前記所定数のサブフレームのパターンを通知する情報を取得するように構成されていることを特徴とする請求項１０に記載の移動局。
【請求項１２】
ＬＴＥ方式が適用されている衛星通信で用いられる衛星に設けられている無線基地局であって、
移動局に対して、上りリンク信号に対するスケジューリング信号を送信するように構成されている送信部を具備しており、
前記スケジューリング信号は、前記移動局に対して、前記上りリンク信号に対する送達確認情報の受信を待つことなく、所定数のサブフレームにおいて、該上りリンク信号と同一の上りリンク信号を送信するように指示することを特徴とする無線基地局。
【請求項１３】
前記送信部は、前記所定数のサブフレームの各々において前記スケジューリング信号を送信するように構成されていることを特徴とする請求項１２に記載の無線基地局。
【請求項１４】
前記送信部は、前記所定数のサブフレームのうちの一部のサブフレームにおいてのみ前記スケジューリング信号を送信するように構成されていることを特徴とする請求項１２に記載の無線基地局。
【請求項１５】
前記送信部は、前記移動局との間の無線品質に応じて、前記所定数を変更するように構成されていることを特徴とする請求項１２乃至１４のいずれか一項に記載の無線基地局。
【請求項１６】
前記送信部は、セル内ハンドオーバ手順、ランダムアクセス手順及び再接続手順の少なくとも１つが行われた際に、前記所定数を所定初期値に変更するように構成されていることを特徴とする請求項１２乃至１５のいずれか一項に記載の無線基地局。
【発明の詳細な説明】
【技術分野】
【０００１】
本発明は、無線基地及び移動局に関する。
【背景技術】
【０００２】
ＬＴＥ（Ｌｏｎｇ  Ｔｅｒｍ  Ｅｖｏｌｕｔｉｏｎ）方式では、ＭＡＣ（Ｍｅｄｉａ  Ａｃｃｅｓｓ  Ｃｏｎｔｒｏｌ）レイヤにおけるＲＴＴ（Ｒｏｕｎｄ  Ｔｒｉｐ  Ｔｉｍｅ）が、４ｍｓと規定されている。
【０００３】
その結果、ＬＴＥ方式では、早期に、ＨＡＲＱ（Ｈｙｂｒｉｄ  ＡＲＱ）による再送を行うことができ、高い伝送速度を実現することができる。
【先行技術文献】
【非特許文献】
【０００４】
【非特許文献１】３ＧＰＰ  ３６.３００
【発明の概要】
【発明が解決しようとする課題】
【０００５】
現在、衛星通信に、ＬＴＥ方式を適用することが検討されている。ここで、衛星通信では、ＲＲＴが長く、衛星通信にＬＴＥ方式が適用された場合には、現状のＬＴＥ方式で規定されているＭＡＣレイヤにおけるＲＴＴを実現することができないという問題点があった。
【０００６】
かかる問題点は、音声通信のような遅延要求にシビアなサービスでは致命的である。
【０００７】
そこで、本発明は、上述の課題に鑑みてなされたものであり、衛星通信にＬＴＥ方式が適用された場合であっても、遅延発生を回避して高い伝送速度を実現することができる無線基地局及び移動局を提供することを目的とする。
【課題を解決するための手段】
【０００８】
本発明の第１の特徴は、ＬＴＥ方式が適用されている衛星通信で用いられる衛星に設けられている無線基地局であって、移動局に対して、下りリンク信号に対するスケジューリング信号及び該下りリンク信号を送信するように構成されている送信部を具備しており、前記送信部は、前記下りリンク信号に対する送達確認情報の受信を待つことなく、所定数のサブフレームにおいて、前記移動局に対して、該下りリンク信号と同一の下りリンク信号を送信するように構成されていることを要旨とする。
【０００９】
本発明の第２の特徴は、ＬＴＥ方式が適用されている衛星通信で用いられる衛星に設けられている無線基地局との間で通信可能な移動局であって、前記無線基地局から、下りリンク信号に対するスケジューリング信号及び該下りリンク信号を受信するように構成されている受信部を具備しており、前記受信部は、所定の前記スケジューリング信号を受信した場合には、所定数のサブフレームにおいて、前記下りリンク信号の受信を試みるように構成されていることを要旨とする。
【００１０】
本発明の第３の特徴は、ＬＴＥ方式が適用されている衛星通信で用いられる衛星に設けられている無線基地局との間で通信可能な移動局であって、前記無線基地局から、上りリンク信号に対する所定のスケジューリング信号を受信するように構成されている受信部と、前記無線基地局に対して、前記所定のスケジューリング信号に応じて、前記上りリンク信号を送信するように構成されている送信部とを具備しており、前記送信部は、前記上りリンク信号に対する送達確認情報の受信を待つことなく、所定数のサブフレームにおいて、前記無線基地局に対して、該上りリンク信号と同一の上りリンク信号を送信するように構成されていることを要旨とする。
【００１１】
本発明の第４の特徴は、ＬＴＥ方式が適用されている衛星通信で用いられる衛星に設けられている無線基地局であって、移動局に対して、上りリンク信号に対するスケジューリング信号を送信するように構成されている送信部を具備しており、前記スケジューリング信号は、前記移動局に対して、前記上りリンク信号に対する送達確認情報の受信を待つことなく、所定数のサブフレームにおいて、該上りリンク信号と同一の上りリンク信号を送信するように指示することを要旨とする。
【発明の効果】
【００１２】
以上説明したように、本発明によれば、衛星通信にＬＴＥ方式が適用された場合であっても、遅延発生を回避して高い伝送速度を実現することができる無線基地局及び移動局を提供することができる。
【図面の簡単な説明】
【００１３】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を説明するための図である。
【図５】本発明の第１の実施形態に係る移動通信システムの動作を説明するための図である。
【発明を実施するための形態】
【００１４】
（本発明の第１の実施形態に係る移動通信システム）
図１乃至図５を参照して、本発明の第１の実施形態に係る移動通信システムについて説明する。
【００１５】
図１に示すように、本実施形態に係る移動通信システムは、衛星１を具備している。なお、本実施形態に係る移動通信システムでは、かかる衛星通信においてＬＴＥ方式が適用されており、衛星１には、ＬＴＥ方式における無線基地局ｅＮＢ（或いは、無線基地局ｅＮＢの機能）が設けられている。或いは、無線基地局ｅＮＢは、地上に設置され、衛星１は、経由装置として動作してもよい。
【００１６】
また、本実施形態に係る移動通信システムでは、移動局ＵＥは、かかる無線基地局ｅＮＢ配下のセル配下に位置するものとする。
【００１７】
なお、本実施形態に係る移動通信システムでは、無線基地局ｅＮＢと移動局ＵＥとの間で、上りリンク及び下りリンクにおいて、ＭＡＣレイヤで、ＨＡＲＱ再送制御が行われているものとする。
【００１８】
図２に示すように、本実施形態に係る無線基地局ｅＮＢは、送信部１１と、受信部１２と、スケジューリング部１３と、カウンタ管理部１４と、ＨＡＲＱ管理部１５とを具備している。
【００１９】
送信部１１は、移動局ＵＥに対して各種信号を送信するように構成されており、受信部１２は、移動局ＵＥによって送信された各種信号を受信するように構成されている。
【００２０】
スケジューリング部１３は、移動局ＵＥに対するスケジューリング処理を行うように構成されている。
【００２１】
カウンタ管理部１４は、カウンタによって、送信部１１によって移動局ＵＥに対して同一の下りリンク信号が送信された回数、及び、受信部１２によって移動局ＵＥから同一の上りリンク信号が受信された回数を管理するように構成されている。
【００２２】
ＨＡＲＱ管理部１５は、移動局ＵＥとの間で、ＭＡＣレイヤでＨＡＲＱ再送制御を行うための管理を行うように構成されている。
【００２３】
例えば、送信部１１は、スケジューリング部１３からの指示に基づいて、移動局ＵＥに対して、下りリンク信号に対するスケジューリング信号及び下りリンク信号を送信するように構成されている。
【００２４】
ここで、送信部１１は、カウンタ管理部１４及びＨＡＲＱ管理部１５と協働して、かかる下りリンク信号に対する送達確認情報（ＡＣＫ/ＮＡＣＫ）の受信を待つことなく、所定数（下りリンク信号用）のサブフレームにおいて、移動局ＵＥに対して、かかる下りリンク信号と同一の下りリンク信号を送信するように構成されている。
【００２５】
例えば、送信部１１は、５個のサブフレームで連続して同一の下りリンク信号を送信するように構成されていてもよいし、１０個のサブフレームごとに５回同一の下りリンク信号を送信するように構成されていてもよい。
【００２６】
なお、同一の下りリンク信号を送信する所定数のサブフレームのパターンは、固定されていてもよいし（Ｓｅｍｉ-ｓｔａｔｉｃ）、動的（ｄｙｎａｍｉｃ）に変更されるように構成されていてもよい。
【００２７】
送信部１１は、移動局ＵＥに対して、上述の同一の下りリンク信号を送信するサブフレームのパターンを通知するように構成されていてもよい。
【００２８】
例えば、上述のサブフレームのパターンが固定されている場合には、送信部１１は、ＲＲＣ（Ｒａｄｉｏ  Ｒｅｓｏｕｒｃｅ  Ｃｏｎｔｒｏｌ）レイヤにおけるシグナリングやＭＡＣレイヤにおけるシグナリングによって、かかるパターンを通知するように構成されていてもよい。
【００２９】
移動局ＵＥは、かかるパターンの通知を受けた時点から、かかるパターンに基づいてＰＤＣＣＨ（或いは、下りリンク信号）の受信を試みる。
【００３０】
一方、上述のサブフレームのパターンが動的に変更される場合には、送信部１１は、上述の同一の下りリンク信号の各々に対するスケジューリング信号を送信するように構成されていてもよい。
【００３１】
すなわち、送信部１１は、スケジューリング部１３によって、かかる同一の下りリンク信号についてのスケジューリングが行われる度に、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、かかる同一の下りリンク信号を受信すべきサブフレームの数（所定数）を通知するように構成されていてもよい。
【００３２】
例えば、送信部１１は、５個のサブフレームで連続して同一の下りリンク信号を送信する場合には、最初のサブフレームにおけるＰＤＣＣＨで「０」を示し、２番目〜４番目のサブフレームにおけるＰＤＣＣＨで「１」を示すように構成されていてもよい。
【００３３】
その結果、移動局ＵＥは、最初のサブフレームにおけるＰＤＣＣＨを介して下りリンク信号に対するスケジューリング信号を受信することができない場合であっても、２番目〜４番目のいずれかのサブフレームにおけるＰＤＣＣＨを介して下りリンク信号に対するスケジューリング信号を受け取ることで、下りリンク信号を受信することができる。
【００３４】
或いは、送信部１１は、上述のサブフレームのうちの一部のサブフレームにおいてのみ下りリンク信号に対するスケジューリング信号を送信するように構成されていてもよい。
【００３５】
すなわち、送信部１１は、上述のサブフレームの全てにおいて下りリンク信号に対するスケジューリング信号を送信しないように構成されていてもよい。
【００３６】
例えば、送信部１１は、５個のサブフレームで連続して同一の下りリンク信号を送信する場合であっても、最初の２個のサブフレームにおいてのみＰＤＣＣＨを介して下りリンク信号に対するスケジューリング信号を送信し、３番目〜５番目のサブフレームでは、ＰＤＣＣＨを介して下りリンク信号に対するスケジューリング信号を送信しないように構成されていてもよい。
【００３７】
すなわち、送信部１１は、当該移動局ＵＥに対しては、ＰＤＳＣＨを介した下りリンク信号のみを送信するように構成されていてもよい。
【００３８】
移動局ＵＥは、最初の２個のサブフレームのいずれかにおいてＰＤＣＣＨを介して下りリンク信号に対するスケジューリング信号を受信することで、下りリンク信号を受信することができる。
【００３９】
なお、送信部１１は、各ＰＤＣＣＨによって割り当てるリソースブロック（ＲＢ：Ｒｅｓｏｕｒｃｅ  Ｂｌｏｃｋ）を変更することができる。
【００４０】
また、送信部１１は、移動局ＵＥとの間の無線品質に応じて、上述の所定数（下りリンク信号用）を変更するように構成されていてもよい。
【００４１】
かかる無線品質としては、下りリンクにおけるＲＳＲＱ（Ｒｅｆｅｒｅｎｃｅ  Ｓｉｇｎａｌ  Ｒｅｃｅｉｖｅｄ  Ｑｕａｌｉｔｙ）やＲＳＲＰ（Ｒｅｆｅｒｅｎｃｅ  Ｓｉｇｎａｌ  Ｒｅｃｅｉｖｅｄ  Ｐｏｗｅｒ）やＣＱＩ（Ｃｈａｎｎｅｌ  Ｑｕａｌｉｔｙ  Ｉｎｄｉｃａｔｏｒ）等が想定される。
【００４２】
例えば、送信部１１は、移動局ＵＥとの間の無線品質が所定品質よりも悪い場合、移動局ＵＥにおける下りリンク信号の受信を担保するために、上述の所定数（下りリンク信号用）を増やすように構成されていてもよい。
【００４３】
一方、送信部１１は、移動局ＵＥとの間の無線品質が所定品質よりも良い場合、下りリンクリソースの利用効率を向上させるために、上述の所定数（下りリンク信号用）を減らすように構成されていてもよい。
【００４４】
なお、通信開始時には、無線基地局ｅＮＢと移動局ＵＥとの間の無線品質が悪いものと想定して、送信部１１は、上述の所定数（下りリンク信号用）を決定するように構成されていてもよい。
【００４５】
或いは、送信部１１は、移動局ＵＥからの送達確認情報の受信確率に応じて、上述の所定数（下りリンク信号用）を変更するように構成されていてもよい。
【００４６】
例えば、送信部１１は、移動局ＵＥからの肯定的な送達確認情報（ＡＣＫ）の受信確率が所定値を上回る場合（或いは、移動局ＵＥからの否定的な送達確認情報（ＮＡＣＫ）の受信確率が所定値を下回る場合）には、下りリンクリソースの利用効率を向上させるために、上述の所定数（下りリンク信号用）を減らすように構成されていてもよい。
【００４７】
一方、送信部１１は、移動局ＵＥからの肯定的な送達確認情報（ＡＣＫ）の受信確率が所定値を下回る場合（或いは、移動局ＵＥからの否定的な送達確認情報（ＮＡＣＫ）の受信確率が所定値を上回る場合）には、移動局ＵＥにおける下りリンク信号の受信を担保するために、上述の所定数（下りリンク信号用）を増やすように構成されていてもよい。
【００４８】
なお、送信部１１は、移動局ＵＥから送達確認情報が受信されない場合（ＤＴＸが発生した場合）、一旦、上述の所定数（下りリンク信号用）を増やすように構成されていてもよい。
【００４９】
また、送信部１１は、Ｉｎｔｒａ-Ｃｅｌｌ  ＨＯ手順（セル内ハンドオーバ手順）やＲＡ手順（ランダムアクセス手順）や再接続手順が行われた際に、上述の所定数（下りリンク信号用）を所定初期値に変更するように構成されていてもよい。ここで、所定初期値は、所定数の最大値であってもよい。
【００５０】
また、送信部１１は、スケジューリング部１３からの指示に基づいて、移動局ＵＥに対して、上りリンク信号に対するスケジューリング信号を送信するように構成されている。
【００５１】
ここで、かかるスケジューリング信号は、移動局ＵＥに対して、上りリンク信号に対する送達確認情報の受信を待つことなく、所定数（上りリンク信号用）のサブフレームにおいて、かかる上りリンク信号と同一の上りリンク信号を送信するように指示するように構成されている。
【００５２】
例えば、かかるスケジューリング信号は、５個のサブフレームで連続して同一の下りリンク信号を送信するように指示してもよいし、１０個のサブフレームごとに５回同一の下りリンク信号を送信するように指示してもよい。
【００５３】
なお、同一の下りリンク信号を送信する所定数のサブフレームのパターンは、固定されていてもよいし（Ｓｅｍｉ-ｓｔａｔｉｃ）、動的（ｄｙｎａｍｉｃ）に変更されるように構成されていてもよい。
【００５４】
送信部１１は、移動局ＵＥに対して、上述の同一の上りリンク信号を送信するサブフレームのパターンを通知するように構成されていてもよい。
【００５５】
例えば、上述のサブフレームのパターンが固定されている場合には、送信部１１は、ＲＲＣレイヤにおけるシグナリングやＭＡＣレイヤにおけるシグナリングによって、かかるパターンを通知するように構成されていてもよい。
【００５６】
移動局ＵＥは、かかるパターンの通知を受けた時点から、かかるパターンに基づいてＰＤＣＣＨの受信或いは上りリンク信号の送信を試みる。
【００５７】
一方、上述のサブフレームのパターンが動的に変更される場合には、送信部１１は、上述の同一の上りリンク信号の各々に対するスケジューリング信号を送信するように構成されていてもよい。
【００５８】
すなわち、送信部１１は、スケジューリング部１３によって、かかる同一の上りリンク信号についてのスケジューリングが行われる度に、ＰＤＣＣＨを介して、かかる同一の上りリンク信号を送信可能なサブフレームの数（所定数）を通知するように構成されていてもよい。
【００５９】
例えば、送信部１１は、５個のサブフレームで連続して同一の上りリンク信号の送信を許可する場合には、最初のサブフレームにおけるＰＤＣＣＨで「０」を示し、２番目〜４番目のサブフレームにおけるＰＤＣＣＨで「１」を示すように構成されていてもよい。
【００６０】
その結果、移動局ＵＥは、最初のサブフレームにおけるＰＤＣＣＨを介して上りリンク信号に対するスケジューリング信号を受信することができない場合であっても、２番目〜４番目のいずれかのサブフレームにおけるＰＤＣＣＨを介して上りリンク信号に対するスケジューリング信号を受け取ることで、上りリンク信号を送信することができる。
【００６１】
或いは、送信部１１は、上述のサブフレームのうちの一部のサブフレームにおいてのみ下りリンク信号に対するスケジューリング信号を送信するように構成されていてもよい。
【００６２】
すなわち、送信部１１は、上述のサブフレームの全てにおいて上りリンク信号に対するスケジューリング信号を送信しないように構成されていてもよい。
【００６３】
例えば、送信部１１は、５個のサブフレームで連続して同一の上りリンク信号の送信を許可する場合であっても、最初の２個のサブフレームにおいてのみＰＤＣＣＨを介して上りリンク信号に対するスケジューリング信号を送信し、３番目〜５番目のサブフレームでは、ＰＤＣＣＨを介して上りリンク信号に対するスケジューリング信号を送信しないように構成されていてもよい。
【００６４】
移動局ＵＥは、最初の２個のサブフレームのいずれかにおいてＰＤＣＣＨを介して上りリンク信号に対するスケジューリング信号を受信することで、上りリンク信号を送信することができる。
【００６５】
なお、送信部１１は、各ＰＤＣＣＨによって割り当てるリソースブロックを変更することができる。
【００６６】
また、送信部１１は、移動局ＵＥとの間の無線品質に応じて、上述の所定数（上りリンク信号用）を変更するように構成されていてもよい。
【００６７】
かかる無線品質としては、上りリンクにおけるＲＳＲＱやＲＳＲＰやＣＱＩ等が想定される。
【００６８】
例えば、送信部１１は、移動局ＵＥとの間の無線品質が所定品質よりも悪い場合、移動局ＵＥからの上りリンク信号の受信を担保するために、上述の所定数（上りリンク信号用）を増やすように構成されていてもよい。
【００６９】
一方、送信部１１は、移動局ＵＥとの間の無線品質が所定品質よりも良い場合、上りリンクリソースの利用効率を向上させるために、上述の所定数（上りリンク信号用）を減らすように構成されていてもよい。
【００７０】
なお、通信開始時には、無線基地局ｅＮＢと移動局ＵＥとの間の無線品質が悪いものと想定して、送信部１１は、上述の所定数（上りリンク信号用）を決定するように構成されていてもよい。
【００７１】
また、送信部１１は、Ｉｎｔｒａ-Ｃｅｌｌ  ＨＯ手順やＲＡ手順が行われた際に、上述の所定数（上りリンク信号用）を所定初期値に変更するように構成されていてもよい。
【００７２】
また、図３に示すように、本実施形態に係る移動局ＵＥは、受信部２１と、送信部２２と、スケジューリング信号処理部２３と、カウンタ管理部２４と、ＨＡＲＱ管理部２５とを具備している。
【００７３】
受信部２１は、無線基地局ｅＮＢから各種信号を受信するように構成されており、送信部２２は、無線基地局ｅＮＢに対して各種信号を送信するように構成されている。
【００７４】
スケジューリング信号処理部２３は、受信部２１によってＰＤＣＣＨを介して受信された移動局ＵＥ宛てのスケジューリング信号を処理するように構成されている。
【００７５】
カウンタ管理部２４は、カウンタによって、送信部２２によって無線基地局ｅＮＢに対して同一の上りリンク信号が送信された回数、及び、受信部２１によって無線基地局ｅＮＢから同一の下りリンク信号が受信された回数を管理するように構成されている。
【００７６】
ＨＡＲＱ管理部２５は、無線基地局ｅＮＢとの間で、ＭＡＣレイヤでＨＡＲＱ再送制御を行うための管理を行うように構成されている。
【００７７】
例えば、受信部２１は、スケジューリング信号処理部２３からの指示に基づいて、カウンタ管理部２４及びＨＡＲＱ管理部２５と協働して、無線基地局ｅＮＢによって送信された下りリンク信号を受信するように構成されている。
【００７８】
或いは、送信部２２は、スケジューリング信号処理部２３からの指示に基づいて、カウンタ管理部２４及びＨＡＲＱ管理部２５と協働して、無線基地局ｅＮＢに対して上りリンク信号を送信するように構成されている。
【００７９】
また、受信部２１は、所定のスケジューリング信号を受信した場合には、所定数のサブフレームにおいて、上述の下りリンク信号の受信を試みるように構成されている。
【００８０】
ここで、かかる所定のスケジューリング信号は、下りリンク信号に対する送達確認情報の受信を待つことなく所定数（下りリンク信号用）のサブフレームにおいて同一の下りリンク信号を受信するように指示するものである。
【００８１】
或いは、かかる所定のスケジューリング信号は、上りリンク信号に対する送達確認情報の受信を待つことなく所定数（上りリンク信号用）のサブフレームにおいて同一の上りリンク信号を送信するように指示するものである。
【００８２】
ここで、送信部２２は、かかる所定のスケジューリング信号に応じて、上りリンク信号に対する送達確認情報の受信を待つことなく、所定数のサブフレームにおいて、無線基地局ｅＮＢに対して、同一の上りリンク信号を送信するように構成されている。
【００８３】
なお、受信部２１は、無線基地局ｅＮＢから、上述の所定数（上りリンク信号用及び下りリンク信号用）のサブフレームのパターンを通知する情報を取得するように構成されていてもよい。
【００８４】
以下、図４及び図５を参照して、本実施形態に係る移動通信システムの動作について説明する。
【００８５】
第１に、図４を参照して、本実施形態に係る移動通信システムにおいて、無線基地局ｅＮＢが、移動局ＵＥに対して、下りリンク信号を送信する動作について説明する。
【００８６】
図４に示すように、ステップＳ１０１において、無線基地局ｅＮＢは、移動局ＵＥに対して、送達確認情報の受信を待つことなく、５個のサブフレームで連続して同一の下りリンク信号を送信する。
【００８７】
ここで、移動局ＵＥは、ＰＤＣＣＨを介して、かかる下りリンク信号に対するスケジューリング信号を受信すると、５個のサブフレームで連続して下りリンク信号の受信を試みる。
【００８８】
その後、無線基地局ｅＮＢは、ステップＳ１０２において、同一の下りリンク信号を連続して送信するサブフレームの数を５個から４個に変更すると、ＰＤＣＣＨを介して、移動局ＵＥに対して、その旨を通知し、ステップＳ１０３において、移動局ＵＥに対して、送達確認情報の受信を待つことなく、４個のサブフレームで連続して同一の下りリンク信号を送信することを開始する。
【００８９】
なお、無線基地局ｅＮＢは、４個のサブフレームのうち最初の２個のサブフレームのみでＰＤＣＣＨを介して九台リンク信号に対するスケジューリング信号を送信してもよい。
【００９０】
第１に、図５を参照して、本実施形態に係る移動通信システムにおいて、移動局ＵＥが、無線基地局ｅＮＢに対して、上りリンク信号を送信する動作について説明する。
【００９１】
図５に示すように、ステップＳ２０１において、移動局ＵＥは、無線基地局ｅＮＢから、所定のスケジューリング信号を受信すると、無線基地局ｅＮＢに対して、送達確認情報の受信を待つことなく、５個のサブフレームで連続して同一の上りリンク信号を送信する。
【００９２】
その後、無線基地局ｅＮＢは、ステップＳ２０２において、同一の上りリンク信号を連続して送信するサブフレームの数を５個から４個に変更すると、ＰＤＣＣＨを介して、移動局ＵＥに対して、その旨を通知し、ステップＳ２０３において、移動局ＵＥは、無線基地局ｅＮＢに対して、送達確認情報の受信を待つことなく、４個のサブフレームで連続して同一の上りリンク信号を送信することを開始する。
【００９３】
以上に述べた本実施形態の特徴は、以下のように表現されていてもよい。
【００９４】
本実施形態の第１の特徴は、ＬＴＥ方式が適用されている衛星通信で用いられる衛星１に設けられている無線基地局ｅＮＢであって、移動局ＵＥに対して、下りリンク信号に対するスケジューリング信号及び下りリンク信号を送信するように構成されている送信部１１を具備しており、送信部１１は、下りリンク信号に対する送達確認情報の受信を待つことなく、所定数のサブフレームにおいて、移動局ＵＥに対して、同一の下りリンク信号を送信するように構成されていることを要旨とする。
【００９５】
かかる特徴によれば、無線基地局ｅＮＢが、下りリンク信号に対する送達確認情報の受信を待つことなく、所定数のサブフレームにおいて移動局ＵＥに対して同一の下りリンク信号を送信するように構成されているため、衛星通信にＬＴＥ方式が適用された場合であっても、下りリンク信号の再送までの時間を短くすることができ、高い伝送速度を実現することができる。
【００９６】
本実施形態の第１の特徴において、送信部１１は、移動局ＵＥに対して、上述の同一の下りリンク信号を送信するサブフレームのパターンを通知するように構成されていてもよい。
【００９７】
かかる特徴によれば、上述のパターンが固定されている場合に、かかるパターンを何度も通知する必要が無くなり、下りリンクにおけるリソースを有効に活用することができる。
【００９８】
本実施形態の第１の特徴において、送信部１１は、上述の同一の下りリンク信号の各々に対するスケジューリング信号を送信するように構成されていてもよい。
【００９９】
かかる特徴によれば、移動局ＵＥは、最初のサブフレームにおけるスケジューリング信号を受信することができない場合であっても、それ以降のいずれかのサブフレームにおけるスケジューリング信号を受け取ることで、上述の下りリンク信号を受信することができる。
【０１００】
本実施形態の第１の特徴において、送信部１１は、上述の所定数のサブフレームのうちの一部のサブフレームにおいてのみ下りリンク信号に対するスケジューリング信号を送信するように構成されていてもよい。
【０１０１】
かかる特徴によれば、スケジューリング信号の送信回数を減らすことで、下りリンクにおけるリソースを有効に活用することができる。
【０１０２】
本実施形態の第１の特徴において、送信部１１は、移動局ＵＥとの間の無線品質に応じて、上述の所定数を変更するように構成されていてもよい。
【０１０３】
かかる特徴によれば、下りリンクにおける無線基地局ｅＮＢと移動局ＵＥとの間の無線品質が所定品質よりも悪い場合、上述の所定数（下りリンク信号用）を増やすことで、移動局ＵＥにおける下りリンク信号の受信を担保することができ、下りリンクにおける無線基地局ｅＮＢと移動局ＵＥとの間の無線品質が所定品質よりも良い場合、上述の所定数（下りリンク信号用）を減らすことで、下りリンクリソースの利用効率を向上させることができる。
【０１０４】
本実施形態の第１の特徴において、送信部１１は、移動局ＵＥからの送達確認情報の受信確率に応じて、上述の所定数を変更するように構成されていてもよい。
【０１０５】
かかる特徴によれば、移動局ＵＥからの肯定的な送達確認情報の受信確率（ＡＣＫ）が所定値を下回る場合（或いは、移動局ＵＥからの否定的な送達確認情報の受信確率（ＮＡＣＫ）が所定値を上回る場合）、上述の所定数（下りリンク信号用）を増やすことで、移動局ＵＥにおける下りリンク信号の受信を担保することができ、移動局ＵＥからの肯定的な送達確認情報（ＡＣＫ）の受信確率が所定値を上回る場合（或いは、移動局ＵＥからの否定的な送達確認情報の受信確率（ＮＡＣＫ）が所定値を下回る場合）、上述の所定数（下りリンク信号用）を減らすことで、下りリンクリソースの利用効率を向上させることができる。
【０１０６】
本実施形態の第１の特徴において、送信部１１は、Ｉｎｔｒａ-Ｃｅｌｌ  ＨＯ手順（セル内ハンドオーバ手順）、ＲＡ手順（ランダムアクセス手順）及び再接続手順の少なくとも１つが行われた際に、上述の所定数を所定初期値に変更するように構成されていてもよい。
【０１０７】
かかる特徴によれば、通信開始時で、下りリンクにおける無線基地局ｅＮＢと移動局ＵＥとの間の無線品質が所定品質よりも悪い場合であっても、移動局ＵＥにおける下りリンク信号の受信を担保することができる。
【０１０８】
本実施形態の第２の特徴は、ＬＴＥ方式が適用されている衛星通信で用いられる衛星１に設けられている無線基地局ｅＮＢとの間で通信可能な移動局ＵＥであって、無線基地局ｅＮＢから、下りリンク信号に対するスケジューリング信号及び下りリンク信号を受信するように構成されている受信部２１を具備しており、受信部２１は、所定のスケジューリング信号を受信した場合には、所定数のサブフレームにおいて、上述の下りリンク信号の受信を試みるように構成されていることを要旨とする。
【０１０９】
かかる特徴によれば、無線基地局ｅＮＢが、下りリンク信号に対する送達確認情報の受信を待つことなく、所定数のサブフレームにおいて移動局ＵＥに対して同一の下りリンク信号を送信するように構成されているため、衛星通信にＬＴＥ方式が適用された場合であっても、下りリンク信号の再送までの時間を短くすることができ、高い伝送速度を実現することができる。
【０１１０】
本実施形態の第２の特徴において、受信部２１は、無線基地局ｅＮＢから、上述の所定数のサブフレームのパターンを通知する情報を取得するように構成されていてもよい。
【０１１１】
かかる特徴によれば、上述のパターンが固定されている場合に、かかるパターンを何度も通知する必要が無くなり、下りリンクにおけるリソースを有効に活用することができる。
【０１１２】
本実施形態の第３の特徴は、ＬＴＥ方式が適用されている衛星通信で用いられる衛星１に設けられている無線基地局ｅＮＢとの間で通信可能な移動局ＵＥであって、無線基地局ｅＮＢから、上りリンク信号に対するスケジューリング信号を受信するように構成されている受信部２１と、無線基地局ｅＮＢに対して、スケジューリング信号に応じて、上りリンク信号を送信するように構成されている送信部２２とを具備しており、送信部２２は、上りリンク信号に対する送達確認情報の受信を待つことなく、所定数のサブフレームにおいて、無線基地局ｅＮＢに対して、同一の上りリンク信号を送信するように構成されていることを要旨とする。
【０１１３】
かかる特徴によれば、移動局ＵＥが、上りリンク信号に対する送達確認情報の受信を待つことなく、所定数のサブフレームにおいて無線基地局ｅＮＢに対して同一の上りリンク信号を送信するように構成されているため、衛星通信にＬＴＥ方式が適用された場合であっても、上りリンク信号の再送までの時間を短くすることができ、高い伝送速度を実現することができる。
【０１１４】
本実施形態の第３の特徴において、受信部２１は、無線基地局ｅＮＢから、所定数のサブフレームのパターンを通知する情報を取得するように構成されていてもよい。
【０１１５】
かかる特徴によれば、上述のパターンが固定されている場合に、かかるパターンを何度も通知する必要が無くなり、上りリンクにおけるリソースを有効に活用することができる。
【０１１６】
本実施形態の第４の特徴は、ＬＴＥ方式が適用されている衛星通信で用いられる衛星１に設けられている無線基地局ｅＮＢであって、移動局ＵＥに対して、上りリンク信号に対するスケジューリング信号を送信するように構成されている送信部１１を具備しており、かかるスケジューリング信号は、移動局ＵＥに対して、上りリンク信号に対する送達確認情報の受信を待つことなく、所定数のサブフレームにおいて、かかる上りリンク信号と同一の上りリンク信号を送信するように指示してもよい。
【０１１７】
かかる特徴によれば、移動局ＵＥが、上りリンク信号に対する送達確認情報の受信を待つことなく、所定数のサブフレームにおいて無線基地局ｅＮＢに対して同一の上りリンク信号を送信するように構成されているため、衛星通信にＬＴＥ方式が適用された場合であっても、上りリンク信号の再送までの時間を短くすることができ、高い伝送速度を実現することができる。
【０１１８】
本実施形態の第４の特徴において、送信部１１は、上述の所定数のサブフレームの各々においてスケジューリング信号を送信するように構成されていてもよい。
【０１１９】
かかる特徴によれば、移動局ＵＥは、最初のサブフレームにおけるスケジューリング信号を受信することができない場合であっても、それ以降のいずれかのサブフレームにおけるスケジューリング信号を受け取ることで、上述の上りリンク信号を送信することができる。
【０１２０】
本実施形態の第４の特徴において、送信部１１は、上述の所定数のサブフレームのうちの一部のサブフレームにおいてのみスケジューリング信号を送信するように構成されていてもよい。
【０１２１】
かかる特徴によれば、スケジューリング信号の送信回数を減らすことで、上りリンクにおけるリソースを有効に活用することができる。
【０１２２】
本実施形態の第４の特徴において、送信部１１は、移動局ＵＥとの間の無線品質に応じて、上述の所定数を変更するように構成されていてもよい。
【０１２３】
かかる特徴によれば、上りリンクにおける無線基地局ｅＮＢと移動局ＵＥとの間の無線品質が所定品質よりも悪い場合、上述の所定数（上りリンク信号用）を増やすことで、無線基地局ｅＮＢにおける上りリンク信号の受信を担保することができ、上りリンクにおける無線基地局ｅＮＢと移動局ＵＥとの間の無線品質が所定品質よりも良い場合、上述の所定数（上りリンク信号用）を減らすことで、上りリンクリソースの利用効率を向上させることができる。
【０１２４】
本実施形態の第４の特徴において、送信部１１は、Ｉｎｔｒａ-Ｃｅｌｌ  ＨＯ手順、ＲＡ手順及び再接続手順の少なくとも１つが行われた際に、上述の所定数を所定初期値に変更するように構成されていてもよい。
【０１２５】
かかる特徴によれば、通信開始時で、上りリンクにおける無線基地局ｅＮＢと移動局ＵＥとの間の無線品質が所定品質よりも悪い場合であっても、無線基地局ｅＮＢにおける上りリンク信号の受信を担保することができる。
【０１２６】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１２７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１２９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１３０】
１…衛星
ｅＮＢ…無線基地局
ＵＥ…移動局
１１、２２…送信部
１２、２１…受信部
１３…スケジューリング部
１４、２４…カウンタ管理部
１５、２５…ＨＡＲＱ管理部
２３…スケジューリング信号処理部
【図１】
2015032880.tif 000003
【図２】
2015032880.tif 000004
【図３】
2015032880.tif 000005
【図４】
2015032880.tif 000006
【図５】
2015032880.tif 000007